(57)【特許請求の範囲】
【請求項１】
本体ケースと、
前記本体ケース内に設けた送風機と、
前記本体ケースの下部に設けた前記本体ケースの一方側から他方側へ延びる空洞である装着部と、
前記装着部に着脱自在に設けた水を貯水するトレイ部分と、
前記トレイ部分に水を供給するタンク部と、
前記トレイ部分内の水に一部が浸漬したフィルター部とを備え、
前記装着部における前記一方側の下面には上方へ延びた第１の突起部を備え、
前記装着部における前記他方側の側面である他方側面には前記他方側面から前記一方側へ延びる第２の突起部を備え、
前記トレイ部分は、
上面が開口した椀形状で、
前記装着部へ装着した状態における椀形の他方側の上端から前記他方側面の方向へ延びた第３の突起部を備え、
前記装着部に前記トレイ部分を装着すると、
前記第１の突起部の他方側が前記トレイ部分の前記一方側と接触し、
前記第２の突起部の下部が前記第３の突起部の上部に接触し、
前記本体ケースは吸気口と吹出口とを有し、
前記本体ケース内には前記吸気口と前記吹出口とを連通する風路を備え、
前記風路に前記送風機を設け、
前記装着部は前記風路へ延び、
前記第２の突起部は前記他方側面に沿って細長い平板形状で、
前記第３の突起部は前記トレイ部分の上端に沿って細長い平板形状で、
前記第２の突起部と前記第３の突起部における長手方向の長さは同じであり、
前記第２の突起部と前記第３の突起部における長手方向の長さは、
前記装着部の前記他方側面の幅方向の長さとほぼ同じであることを特徴とする加湿装置。
【請求項２】
本体ケースと、
前記本体ケース内に設けた送風機と、
前記本体ケースの下部に設けた前記本体ケースの一方側から他方側へ延びる空洞である装着部と、
前記装着部に着脱自在に設けた水を貯水するトレイ部分と、
前記トレイ部分に水を供給するタンク部と、
前記トレイ部分内の水に一部が浸漬したフィルター部とを備え、
前記装着部における前記一方側の下面には上方へ延びた第１の突起部を備え、
前記装着部における前記他方側の側面である他方側面には前記他方側面から前記一方側へ延びる第２の突起部を備え、
前記トレイ部分は、
上面が開口した椀形状で、
前記装着部へ装着した状態における椀形の他方側の上端から前記他方側面の方向へ延びた第３の突起部を備え、
前記装着部に前記トレイ部分を装着すると、
前記第１の突起部の他方側が前記トレイ部分の前記一方側と接触し、
前記第２の突起部の下部が前記第３の突起部の上部に接触し、
前記第２の突起部は、
前記第２の突起部の上面の先端部から斜め上方へ延びる第４の突起部を備え、
前記第４の突起部は前記トレイ部分の上方の前記風路面へ延びることを特徴とする加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１、２参照）。
【０００３】
この加湿装置は、本体ケース内には、送風機と加湿部とを備えている。本体ケースの前面側の扉を開くと、下部には装着開口を備え、装着開口から本体ケース内へ水平方向に延びた空洞が装着部である。この装着部に着脱自在に加湿部が設けられている。加湿部は、水を貯水するトレイ部分と、トレイ部分の前面側には水を供給するタンク部分と、トレイ部分の背面側にはトレイ部分内の水に一部が浸漬したフィルター部分とを備えている。
【先行技術文献】
【特許文献】
【０００４】
【特許文献１】特開２０１４−２０９０４３号公報
【発明の概要】
【発明が解決しようとする課題】
【０００５】
このような従来の加湿装置においては、装着部に加湿部を装着した状態で、トレイ部分からタンク部分を取り出す場合には、タンク部分上部の取手を持って、本体ケースにおける前面側上方へ持ち上げる。このときに、トレイ部分の傾きや、がたつきが発生するという課題を有していた。
【０００６】
本発明は上記課題を解決するものであり、装着部に加湿部を装着した状態で、トレイ部分からタンク部分を取り出す場合に、トレイ部分の傾きや、がたつきを抑制し、メンテナンス性を向上することを目的としている。
【課題を解決するための手段】
【０００７】
そして、この目的を達成するために、本発明は、本体ケースと、前記本体ケース内に設けた送風機と、前記本体ケースの下部に設けた前記本体ケースの一方側から他方側へ延びる空洞である装着部と、前記装着部に着脱自在に設けた水を貯水するトレイ部分と、前記トレイ部分に水を供給するタンク部と、前記トレイ部分内の水に一部が浸漬したフィルター部とを備え、前記装着部における前記一方側の下面には上方へ延びた第１の突起部を備え、前記装着部における前記他方側の側面である他方側面には前記他方側面から前記一方側へ延びる第２の突起部を備え、前記トレイ部分は、上面が開口した椀形状で、前記装着部へ装着した状態における椀形の他方側の上端から前記他方側面の方向へ延びた第３の突起部を備え、前記装着部に前記トレイ部分を装着すると、前記第１の突起部の他方側が前記トレイ部分の前記一方側と接触し、前記第２の突起部の下部が前記第３の突起部の上部に接触し、前記本体ケースは吸気口と吹出口とを有し、前記本体ケース内には前記吸気口と前記吹出口とを連通する風路を備え、前記風路に前記送風機を設け、前記装着部は前記風路へ延び、前記第２の突起部は前記他方側面に沿って細長い平板形状で、前記第３の突起部は前記トレイ部分の上端に沿って細長い平板形状で、前記第２の突起部と前記第３の突起部における長手方向の長さは同じであり、前記第２の突起部と前記第３の突起部における長手方向の長さは、前記装着部の前記他方側面の幅方向の長さとほぼ同じであることを特徴としたものであり、これにより所期の目的を達成するものである。
【発明の効果】
【０００８】
本発明によれば、本体ケースと、前記本体ケース内に設けた送風機と、前記本体ケースの下部に設けた前記本体ケースの一方側から他方側へ延びる空洞である装着部と、前記装着部に着脱自在に設けた水を貯水するトレイ部分と、前記トレイ部分に水を供給するタンク部と、前記トレイ部分内の水に一部が浸漬したフィルター部とを備え、前記装着部における前記一方側の下面には上方へ延びた第１の突起部を備え、前記装着部における前記他方側の側面である他方側面には前記他方側面から前記一方側へ延びる第２の突起部を備え、前記トレイ部分は、上面が開口した椀形状で、前記装着部へ装着した状態における椀形の他方側の上端から前記他方側面の方向へ延びた第３の突起部を備え、前記装着部に前記トレイ部分を装着すると、前記第１の突起部の他方側が前記トレイ部分の前記一方側と接触し、前記第２の突起部の下部が前記第３の突起部の上部に接触し、前記本体ケースは吸気口と吹出口とを有し、前記本体ケース内には前記吸気口と前記吹出口とを連通する風路を備え、前記風路に前記送風機を設け、前記装着部は前記風路へ延び、前記第２の突起部は前記他方側面に沿って細長い平板形状で、前記第３の突起部は前記トレイ部分の上端に沿って細長い平板形状で、前記第２の突起部と前記第３の突起部における長手方向の長さは同じであることを特徴とする請求項１に記載の加湿装置。前記第２の突起部と前記第３の突起部における長手方向の長さは、前記装着部の前記他方側面の幅方向の長さとほぼ同じであることを特徴としたものであるため、装着部に加湿部を装着した状態で、トレイ部分からタンク部分を取り出す場合に、トレイ部分の傾きや、がたつきを抑制し、メンテナンス性を向上することができる。また、第２の突起部の下面と、第３の突起部の上面とが重なる長さが長くなり、第２の突起部と第３の突起部の間から送風機によって空気が吸い込まれることを更に抑制できる。
【図面の簡単な説明】
【０００９】
【図１】本発明の実施の形態１の加湿装置の斜視図
【図２】同加湿装置の斜視図
【図３】同加湿装置の天面パネルの平面図
【図４】同加湿装置の断面図
【図５】同加湿装置の斜視図
【図６】同加湿装置の断面図
【図７】同加湿装置の装着部の斜視図
【図８】同加湿装置の加湿部の斜視図
【図９】同加湿装置の加湿部の斜視図
【図１０】同加湿装置の断面図
【発明を実施するための形態】
【００１０】
以下、本発明の実施形態について図面を参照しながら説明する。
【００１１】
（実施の形態１）
図１は、本発明の実施の形態１の加湿装置の斜視図であり、加湿装置を前面側から見た図である。図２は、本発明の実施の形態１の加湿装置の斜視図であり、加湿装置の天面パネルを外し前面側から見た図である。
【００１２】
図１、図２に示すように、本実施形態の加湿装置においては、略箱形状の本体ケース１を備え、本体ケース１の両側面には略四角形状の吸気口２を有している。本体ケース１の前面には開閉可能な扉３を備え、扉３を開くと後述する本体ケース１内の加湿部を取り出すことが出来る。
【００１３】
本体ケース１は、上面の背面側には天面パネル４を備えている。天面パネル４は、本体ケース１上面の吹出口５に設けられている。天面パネル４は、横長四角板形状で、中央に矩形状の中心軸が上下方向に延びた筒形状である開口部６を備えている。開口部６は、本体ケース１の吹出口５と連通している。
【００１４】
図３は、本発明の実施の形態１の加湿装置の平面図であり、加湿装置を上方から見た図である。
【００１５】
図３に示すように、天面パネル４の開口部６には、多数の孔を有した格子部７と、風向を変更する風向板８を備えている。格子部７は開口部６下部の水平に配置され、多数の孔は指が入らない大きさである。格子部７の上方には、複数の風向板８が、本体ケース１における前後方向へ回動自在に設けられている。なお、格子部７は、異物や指が入らないように、カーバーするためのものであり、網目形状も含むものである。
【００１６】
図４は、本発明の実施の形態１の加湿装置の断面図であり、加湿装置を右側から見た図である。図５は、本発明の実施の形態１の加湿装置の斜視図であり、加湿装置の扉を開き、加湿部を引き出し前面側から見た図である。
【００１７】
図４、図５に示すように、本体ケース１内には、送風機９と、加湿部１０、風路１１とを備えている。
【００１８】
送風機９は、本体ケース１の背面側中央部に設けられ、モータ部１２とモータ部１２により回転するファン部１３とそれらを囲むケーシング部１４とを備えている。
【００１９】
ファン部１３は、シロッコファンで、モータ部１２から水平方向に延びたモータ軸（図示せず）に固定され、モータ部１２は、ケーシング部１４に固定されている。ケーシング部１４は、ケーシング部１４の本体ケース１における上面側に吐出口１５を備え、ケーシング部１４の本体ケース１における前面側に吸込口１６を有している。
【００２０】
加湿部１０は、水を貯水するトレイ部分１７と、トレイ部分１７に水を供給するタンク部分１８と、トレイ部分１７内の水に一部が浸漬したフィルター部分１９とを備えている。トレイ部分１７とフィルター部分１９は、送風機９より下方に配置されている。
【００２１】
トレイ部分１７は、天面を開口した箱形状をしており、水を貯水できる構造となっており、本体ケース１の下部に配置され、本体ケース１の前面側から背面側へ延びる空洞である装着部２４内へ水平方向にスライドして着脱可能となっている。
【００２２】
タンク部分１８は、本体ケース１内部の前面側に設置され、トレイ部分１７から着脱可能な構造となっている。タンク部分１８は、水を貯水する中空形状であるタンク２０と、タンク２０の上部に取手２１を設け、この取手２１はタンク２０と一体となっている。
【００２３】
タンク２０は、下部にタンク開口（図示せず）を備え、このタンク開口をキャップ２２により密閉できる構造となっているが、トレイ部分１７にタンク２０を設置すると、キャップ２２に設けられた水栓（図示せず）が解放され、水がトレイ部分１７に供給される構造となっている。水面が水栓まで上昇してくると、水面によりタンク２０が密閉され、水の供給が停止し、常に一定量の水を供給することができる。
【００２４】
フィルター部分１９は、トレイ部分１７に貯水された水と、送風機９によって本体ケース１内に吸込まれた室内空気とを接触させる部材である。円筒状に構成され、円周部分に空気が流通可能な孔を備えたフィルター２３を配置し、その一端がトレイ部分１７の水に浸漬するように、トレイ部分１７に回転自在に内蔵されている。そして、駆動部（図示しない）による回転され、水と室内空気を連続的に接触させる構造となっている。
【００２５】
風路１１は、吸気口２と吹出口５とを連通し、この風路１１には、吸気口２から順に、加湿部１０（トレイ部分１７、フィルター部分１９）、送風機９、吹出口５とを備えている。モータ部１２によってファン部１３が回転すると、吸気口２から風路１１内に入った室内空気は、順に、加湿部１０であるフィルター２３、送風機９、吹出口５を介して、開口部６から吹き出される。
【００２６】
図６は、本発明の実施の形態１の加湿装置の断面図であり、加湿装置の装着部から加湿部を引き出し、加湿装置を右側から見た図である。図７は、本発明の実施の形態１の加湿装置の装着部の斜視図であり、加湿装置の扉を開き、加湿部を引き出し前面側の装着部を見た図である。図８は、本発明の実施の形態１の加湿装置の加湿部の斜視図であり、加湿装置の加湿部を前面側から見た図である。
【００２７】
図６、図７、図８に示すように、本実施形態における特徴は、トレイ部分１７と装着部２４の構造である。装着部２４は、本体ケース１の下部に設けられ、本体ケース１の前面側（一方側）から背面側（他方側）へ延びる空洞である。装着部２４は、本体ケース１における前面側から見ると横長四角形状であり、装着部２４には加湿部１０が着脱自在な構成となっている。装着部２４における前面側（一方側）の下面には、上方へ延びた第１の突起部２５を備えている。装着部２４における背面側（他方側）の側面である他方側面２６には、他方側面２６から前面側（一方側）へ延びる第２の突起部２７を備えている。
【００２８】
トレイ部分１７は、上面が開口した椀形状で、装着部２４へ装着した状態における背面側（他方側）の上端から他方側面２６の方向へ延びた第３の突起部２８を備えている。装着部２４にトレイ部分１７を装着すると、第１の突起部２５の背面側（他方側）がトレイ部分１７の前面側（一方側）と接触し、第２の突起部２７の下部が第３の突起部２８の上部に接触する。なお、この接触とは、僅かな隙間を有するものも含むものである。
【００２９】
図９は、本発明の実施の形態１の加湿装置の加湿部の斜視図であり、加湿装置の加湿部を底面側から見た図である。
【００３０】
具体的には、装着部２４にトレイ部分１７を挿入すると、まず、トレイ部分１７の底面が第１の突起部２５に乗り上げる。次に、更にトレイ部分１７を挿入すると、第１の突起部２５がトレイ部分１７の底面の溝３０に入り込み、第１の突起部２５の背面側（他方側）が、トレイ部分１７の溝における前面側（一方側）と接触し、同時に、第２の突起部２７の下方に第３の突起部２８が入り込む。
【００３１】
図１０は、本発明の実施の形態１の加湿装置の断面図であり、加湿装置のトレイ部分からタンク部分を持ち上げた状態で、加湿装置を右側から見た図である。
【００３２】
図１０に示すように、装着部２４にトレイ部分１７を装着した状態で、トレイ部分１７の前面側に設置されたタンク部分１８を取り出す場合に、タンク２０の上部には取手２１を持って、斜め上方（本体ケースにおける前面側上方）へ持ち上げる。このときに、トレイ部分１７には、第１の突起部２５との接触部分を回動中心として、トレイ部分１７の第３の突起部２８に上方向の力が掛かる。ここで、第３の突起部２８の上方には、他方側面２６から前面側（一方側）へ延びる第２の突起部２７を備えているので、トレイ部分１７の傾きや、がたつきを抑制できる。なお、第２の突起部２７の下部が第３の突起部２８の上部との間に僅かな隙間を有しても、同様の効果を有する。
【００３３】
図６、図７、図８に示すように、第２の突起部２７は、他方側面２６に沿って細長い平板形状で水平面を有し、第３の突起部２８はトレイ部分１７の上端に沿って細長い平板形状で水平面を有する。そして、第２の突起部２７と第３の突起部２８における長手方向の長さは同じである。第２の突起部２７と第３の突起部２８における長手方向は、前面側（一方側）から背面側（他方側）に向かう方向に対して直交した左右方向である。なお、装着部２４は風路１１へ延びている。
【００３４】
これにより、第２の突起部２７の下面と、第３の突起部２８の上面とが重なる長さが長くなるので、送風機９によって第２の突起部２７と第３の突起部２８の間から、本体ケース１内の空気が吸い込まれることを抑制できる。
【００３５】
また、第２の突起部２７と第３の突起部２８における長手方向の長さは、装着部２４の他方側面２６の幅方向の長さとほぼ同じである。これにより、第２の突起部２７の下面と、第３の突起部２８の上面とが重なる長さが長くなり、第２の突起部２７と第３の突起部２８の間から送風機によって空気が吸い込まれることを更に抑制できる。
【００３６】
また、第２の突起部２７は、第２の突起部２７の上面の先端部から斜め上方へ延びる第４の突起部２９を備えている。第４の突起部２９は、トレイ部分１７の上方の風路１１面へ延びている。第４の突起部２９は、細長い板形状で、下端が端部となり、上下方向に延びた平面を有する。本体ケース１における左右方向に平面を備えている。第４の突起部２９は、第２の突起部２７の補強を兼ねている。
【００３７】
装着部２４にトレイ部分１７を挿入すると、まず、トレイ部分１７の底面が第１の突起部２５に乗り上げる。次に、更にトレイ部分１７を挿入すると、第１の突起部２５がトレイ部分１７の底面の溝３０に入り込み、第１の突起部２５の背面側（他方側）が、トレイ部分１７の溝における前面側（一方側）と接触し、同時に、第２の突起部の下方に第３の突起部が入り込む。ここで、仮に、トレイ部分１７の第３の突起部２８側が持ち上がった状態で挿入されると、第３の突起部２８の上面が、第４の突起部２９の下端と接触しながら挿入されるので、第２の突起部２７の上方に第３の突起部２８が入り込むことなく、第２の突起部２７の下方に第３の突起部２８が入り込む。これにより、トレイ部分１７の装着が容易になる。
【産業上の利用可能性】
【００３８】
本発明は、加湿フィルターに通風して加湿する気化式の加湿装置として適している。
【符号の説明】
【００３９】
１    本体ケース
２    吸気口
３    扉
４    天面パネル
５    吹出口
６    開口部
７    格子部
８    風向板
９    送風機
１０    加湿部
１１    風路
１２    モータ部
１３    ファン部
１４    ケーシング部
１５    吐出口
１６    吸込口
１７    トレイ部分
１８    タンク部分
１９    フィルター部分
２０    タンク
２１    取手
２２    キャップ
２３    フィルター
２４    装着部
２５    第１の突起部
２６    他方側面
２７    第２の突起部
２８    第３の突起部
２９    第４の突起部
３０    溝
【図１】
0006643571.tif 000002
【図２】
0006643571.tif 000003
【図３】
0006643571.tif 000004
【図４】
0006643571.tif 000005
【図５】
0006643571.tif 000006
【図６】
0006643571.tif 000007
【図７】
0006643571.tif 000008
【図８】
0006643571.tif 000009
【図９】
0006643571.tif 000010
【図１０】
0006643571.tif 000011